【手続補正書】
【提出日】平成18年7月13日(2006.7.13)
【手続補正１】
【補正対象書類名】明細書
【補正対象項目名】特許請求の範囲
【補正方法】変更
【補正の内容】
【特許請求の範囲】
【請求項１】  以下の式Ｉの化合物およびその薬学的に受容可能な塩であって：
【化１】
2002520386.tif 000001
ここで、
Ｒ１は、アルキル、アルケニル、アルコキシ、アシルアミノ、アミノ、置換アミノ、アリール、シクロアルキル、ハロゲン、ニトロ、および−Ｃ＝Ｎ（Ｏ）−Ｒ５（ここで、Ｒ５はアルキル、置換アルキルまたはシクロアルキルである）からなる群から選択され；
Ｒ２は、水素、アルキル、アルケニル、アルコキシ、アシルアミノ、アミノ、置換アミノ、アリール、シクロアルキル、ハロゲンおよびニトロからなる群から選択されるか；
あるいはＲ１およびＲ２は共に結合されて、アルキレンジオキシ基を形成してもよく；
Ｒ３は、水素、アルキルおよびアリールからなる群から選択され；そして
Ｒ４は、アルキル、置換アルキルおよびシクロアルキルからなる群から選択される、化合物。
【請求項２】  Ｒ１がアルコキシ、アルキル、ハロゲン、ニトロおよび−ＣＨ＝Ｎ（Ｏ）−Ｒ５からなる群から選択される、請求項１に記載の化合物。
【請求項３】  Ｒ１がアルキルである、請求項２に記載の化合物。
【請求項４】  Ｒ１がｔｅｒｔ−ブチルである、請求項３に記載の化合物。
【請求項５】  Ｒ２がアルキルおよびハロゲンからなる群から選択される、請求項２に記載の化合物。
【請求項６】  Ｒ２がアルキルである、請求項３に記載の化合物。
【請求項７】  Ｒ２がｔｅｒｔ−ブチルである、請求項４に記載の化合物。
【請求項８】  Ｒ３が水素である、請求項７に記載の化合物。
【請求項９】  Ｒ４が３〜約８個の炭素原子を有するアルキルおよび３〜８個の炭素原子を有するシクロアルキルからなる群から選択される、請求項８に記載の化合物。
【請求項１０】  Ｒ４が３〜６個の炭素原子を有するアルキルまたは５〜６個の炭素原子を有するシクロアルキルである、請求項９に記載の化合物。
【請求項１１】  Ｒ４がｎ−プロピル、イソプロピル、ｎ−ブチル、ｔｅｒｔ−ブチルおよびシクロヘキシルからなる群から選択される、請求項１０に記載の化合物。
【請求項１２】  以下の式ＩＩを有する請求項１に記載の化合物、およびその薬学的に受容可能な塩であって：
【化２】
2002520386.tif 000002
ここで、
Ｒ６はアルキルおよびシクロアルキルからなる群から選択され；
Ｒ７はアルキルおよびシクロアルキルからなる群から選択され；そして
Ｒ８はアルキル、置換アルキルおよびシクロアルキルからなる群から選択される、化合物。
【請求項１３】  Ｒ６およびＲ７は、同一であるか、または異なり、そして各々が１〜約６個の炭素原子を有するアルキル基から独立して選択される、請求項１２に記載の化合物。
【請求項１４】  Ｒ６およびＲ７がメチル、エチル、ｎ−プロピル、イソプロピル、ｎ−ブチル、イソブチル、ｓｅｃ−ブチルおよびｔｅｒｔ−ブチルからなる群から独立して選択される、請求項１３に記載の化合物。
【請求項１５】  Ｒ８が３〜８個の炭素原子を有するアルキルおよび３〜８個の炭素原子を有するシクロアルキルからなる群から選択される、請求項１４に記載の化合物。
【請求項１６】  以下からなる群から選択される請求項１に記載の化合物およびその薬学的に受容可能な塩：
α−（５−クロロ−２−ヒドロキシフェニル）−Ｎ−ｔｅｒｔ−ブチルニトロン
α−（３，５−ジ−ｔｅｒｔ−ブチル−２−ヒドロキシフェニル）−Ｎ−ｔｅｒｔ−ブチルニトロン
α−（３，５−ジブロモ−２−ヒドロキシフェニル）−Ｎ−ｔｅｒｔ−ブチルニトロン
α−（３−フルオロ−２−ヒドロキシフェニル）−Ｎ−ｔｅｒｔ−ブチルニトロン
α−｛３−［（ｔｅｒｔ−ブチル）オキシドイミノ］メチル−２−ヒドロキシ−５−メチルフェニル）｝−Ｎ−ｔｅｒｔ−ブチルニトロン
α−（２−ヒドロキシ−３−メチルフェニル）−Ｎ−ｔｅｒｔ−ブチルニトロン
α−｛３−［（ｔｅｒｔ−ブチル）オキシドイミノ］メチル−５−クロロ−２−ヒドロキシフェニル）｝−Ｎ−ｔｅｒｔ−ブチルニトロン
α−（２−ヒドロキシ−５−メトキシフェニル）−Ｎ−ｔｅｒｔ−ブチルニトロン
α−（２−ヒドロキシ−５−ニトロフェニル）−Ｎ−ｔｅｒｔ−ブチルニトロン
α−（３−エトキシ−２−ヒドロキシフェニル）−Ｎ−ｔｅｒｔ−ブチルニトロン
α−（２−ヒドロキシ−４−メトキシフェニル）−Ｎ−ｔｅｒｔ−ブチルニトロン
α−（４−Ｎ，Ｎ−ジエチルアミノ−２−ヒドロキシフェニル）−Ｎ−ｔｅｒｔ−ブチルニトロン
α−（３，５−ジクロロ−２−ヒドロキシフェニル）−Ｎ−ｔｅｒｔ−ブチルニトロン
α−（４，６−ジメトキシ−２−ヒドロキシフェニル）−Ｎ−ｔｅｒｔ−ブチルニトロン
α−（２−ヒドロキシ−５−トリフルオロメトキシフェニル）−Ｎ−ｔｅｒｔ−ブチルニトロン
α−（３，５−ジヨード−２−ヒドロキシフェニル）−Ｎ−ｔｅｒｔ−ブチルニトロン
α−（３，５−ジニトロ−２−ヒドロキシフェニル）−Ｎ−ｔｅｒｔ−ブチルニトロン。
【請求項１７】  薬学的に受容可能なキャリアおよび薬学的に有効量の請求項１に記載の化合物を含有する、薬学的組成物。
【請求項１８】  Ｒ１がアルコキシ、アルキル、ハロゲン、ニトロおよび−ＣＨ＝Ｎ（Ｏ）−Ｒ５からなる群から選択される、請求項１７に記載の薬学的組成物。
【請求項１９】  Ｒ１がアルキルである、請求項１８に記載の薬学的組成物。
【請求項２０】  Ｒ１がｔｅｒｔ−ブチルである、請求項１９に記載の薬学的組成物。
【請求項２１】  Ｒ２がアルキルおよびハロゲンからなる群から選択される、請求項１８に記載の薬学的組成物。
【請求項２２】  Ｒ２がアルキルである、請求項１９に記載の薬学的組成物。
【請求項２３】  Ｒ２がｔｅｒｔ−ブチルである、請求項２０に記載の薬学的組成物。
【請求項２４】  Ｒ３が水素である、請求項２３に記載の薬学的組成物。
【請求項２５】  Ｒ４が３〜８個の炭素原子を有するアルキルおよび３〜８個の炭素原子を有するシクロアルキルからなる群から選択される、請求項２４に記載の薬学的組成物。
【請求項２６】  Ｒ４が３〜６個の炭素原子を有するアルキルまたは５〜６個の炭素原子を有するシクロアルキルである、請求項２５に記載の薬学的組成物。
【請求項２７】  Ｒ４がｎ−プロピル、イソプロピル、ｎ−ブチル、ｔｅｒｔ−ブチルおよびシクロヘキシルからなる群から選択される、請求項２６に記載の薬学的組成物。
【請求項２８】  薬学的に受容可能なキャリアおよび薬学的に有効量の請求項１２に記載の化合物を含有する、薬学的組成物。
【請求項２９】  Ｒ６およびＲ７は、同一であるか、または異なり、そして各々が１〜６個の炭素原子を有するアルキル基から独立して選択される、請求項２８に記載の薬学的組成物。
【請求項３０】  Ｒ６およびＲ７がメチル、エチル、ｎ−プロピル、イソプロピル、ｎ−ブチル、イソブチル、ｓｅｃ−ブチルおよびｔｅｒｔ−ブチルからなる群から独立して選択される、請求項２９に記載の薬学的組成物。
【請求項３１】  Ｒ８が３〜８個の炭素原子を有するアルキルおよび３〜８個の炭素原子を有するシクロアルキルからなる群から選択される、請求項３０に記載の薬学的組成物。
【請求項３２】  炎症関連状態に罹患する哺乳動物を処置するための医薬の製造における、薬学的に受容可能なキャリアおよび炎症を減少するに有効量の請求項１に記載の化合物を含有する薬学的組成物の使用。
【請求項３３】  前記炎症関連状態が慢性関節リウマチである、請求項３２に記載の使用。
【請求項３４】  前記炎症関連状態が変形性関節症である、請求項３２に記載の使用。
【請求項３５】  前記炎症関連状態が強直性脊椎炎である、請求項３２に記載の使用。
【請求項３６】  前記炎症関連状態が全身性エリテマトーデスである、請求項３２に記載の使用。